(57)【要約】【課題】内燃機関の排気還流装置において、例えばツインスクロール型の過給機により、適切に高過給を実現可能とする。【解決手段】内燃機関の排気還流装置（１０）は、排気系にタービンを有する過給機（１００等）と、第１気筒群（＃１及び＃４）からの第１排気が合流する第１合流部（２０９ａ）を含むと共に第１排気を過給機へ導く第１排気通路（２０９）と、第２気筒群（＃３及び＃４）からの第２排気が合流する第２合流部（２１０ａ）を含むと共に第２排気を過給機へ導く第２排気通路（２１０）と、第１排気を第１排気通路からタービン（１７０）に導く第１スクロール部（１２１）と、第２排気を第２排気通路からタービンに導く第２スクロール部（１２２）と、第１スクロール部へ導かれた第１排気を、タービンを迂回させることに加えて第１排気をＥＧＲガスとして吸気系に再循環させるＥＧＲ通路（３１０）と連通している第１迂回通路（１３１）と、第２排気を、タービンを迂回させる第２迂回通路（１３２）とを備える。【選択図】図１
2009287434.tif 000002
【特許請求の範囲】
【請求項１】
複数の気筒を有する内燃機関の排気系にタービンを有すると共に前記内燃機関の吸気系にて過給を行う過給機と、
前記複数の気筒のうち第１気筒群からの第１排気が合流する第１合流部を含むと共に、前記第１合流部を経由して前記第１排気を前記過給機へ導く第１排気通路と、
前記複数の気筒のうち第２気筒群からの第２排気が合流する第２合流部を含むと共に、前記第２合流部を経由して前記第２排気を前記過給機へ導く第２排気通路と、
前記第１排気を前記第１排気通路から前記タービンに連続的に導く第１スクロール部と、
前記第２排気を前記第２排気通路から前記タービンに連続的に導く第２スクロール部と、
前記第１スクロール部へ導かれた前記第１排気を、前記タービンを迂回して前記タービンより下流側に導入可能であることに加えて、前記第１スクロール部へ導かれた前記第１排気の一部をＥＧＲガスとして前記吸気系に再循環させるＥＧＲ通路と前記タービンの上流側で連通している第１迂回通路と、
前記第２スクロール部へ導かれた前記第２排気を、前記タービンを迂回して前記タービンより下流側に導入可能である第２迂回通路と
を備えることを特徴とする内燃機関の排気還流装置。
【請求項２】
前記第１気筒群に含まれる一の気筒と前記第１合流部との間の流路の長さは、前記第２気筒群に含まれる他の気筒と前記第２合流部との間の流路の長さより大きいことを特徴とする請求項１に記載の内燃機関の排気還流装置。
【請求項３】
前記第１迂回通路の流路断面積は、前記第２迂回通路の流路断面積より小さいことを特徴とする請求項１又は２に記載の内燃機関の排気還流装置。
【請求項４】
前記第１迂回通路の流路断面積と前記第２迂回通路の流路断面積とは、前記内燃機関の負荷が最大である運転状態の下で、前記第１スクロール部を流れる排気流量と前記第２スクロール部を流れる排気流量とが等しくなるように設定されていることを特徴とする請求項１から３のうちいずれか一項に記載の内燃機関の排気還流装置。
【請求項５】
前記第１迂回通路及び前記第２迂回通路は、弁体によって遮断可能であり、
前記第１迂回通路における前記弁体の第１開口面積は、前記第２迂回通路における前記弁体の第２開口面積より小さいことを特徴とする請求項１から４のうちいずれか一項に記載の内燃機関の排気還流装置。
【請求項６】
前記第１開口面積と前記第２開口面積とは、前記内燃機関の負荷が最大である運転状態の下で、前記第１スクロール部を流れる排気流量と前記第２スクロール部を流れる排気流量とが等しくなるように設定されていることを特徴とする請求項１から５のうちいずれか一項に記載の内燃機関の排気還流装置。
【請求項７】
前記第１迂回通路は、前記タービンを迂回して前記タービンより下流側に導かれる前記第１排気の流量を変化可能な第１弁を有し、
前記第２迂回通路は、前記タービンを迂回して前記タービンより下流側に導かれる前記第２排気の流量を変化可能な第２弁を有することを特徴とする請求項１から６のうちいずれか一項に記載の内燃機関の排気還流装置。
【請求項８】
前記第１気筒群に含まれる一の気筒の排気行程の実施時期と、前記第１気筒群に含まれる他の気筒の排気行程の実施時期との間の時間間隔は、前記一の気筒の排気行程の実施時期と、前記第２気筒群に含まれる他の気筒の排気行程の実施時期との間の時間間隔より長いことを特徴とする請求項１から７のうちいずれか一項に記載の内燃機関の排気還流装置。
【請求項９】
前記第２気筒群に含まれる一の気筒の排気行程の実施時期と、前記第２気筒群に含まれる他の気筒の排気行程の実施時期との間の時間間隔は、前記一の気筒の排気行程の実施時期と、前記第１気筒群に含まれる他の気筒の排気行程の実施時期との間の時間間隔より長いことを特徴とする請求項１から８のうちいずれか一項に記載の内燃機関の排気還流装置。
【発明の詳細な説明】
【技術分野】
【０００１】
本発明は、例えばＥＧＲ（Exhaust Gas Recirculation：排気再循環）装置等の内燃機関の排気還流装置の技術分野に関する。
【背景技術】
【０００２】
この種の内燃機関の排気還流装置として、ウェイストゲートバルブを経由して排出される排気をＥＧＲガスにとして還流させるものや、ガソリンエンジンの高負荷での運転領域において、ノッキングの発生を抑制するために外部ＥＧＲガスを還流させるものが提案されている（例えば、特許文献１を参照）。
【０００３】
また、この種の内燃機関の排気還流装置として、各気筒の排気干渉が生じないよう隔壁で区画された排気マニフォールドと夫々連続して接続されたタービンスクロール流路のうち、ＥＧＲガスの抜き出しを行う側の流路断面積を小さくさせるものが提案されている（例えば、特許文献２を参照）。
【０００４】
また、この種の内燃機関の排気還流装置として、排気行程がオーバーラップしない気筒群毎に、排気マニフォールドを分割し、これら排気マニフォールドの合流部にターボ過給機を備えるとともに、各排気マニフォールドには夫々ＥＧＲガス取り付け口が設けられたものが提案されている（例えば、特許文献３を参照）。
【０００５】
また、例えばダウンサイジングコンセプト(downsizing concept)が推奨される条件下で、過給機によって高過給を行う場合には、特に内燃機関の回転数が低い状態では、ノッキングが発生することが想定される。このため、ノッキングの発生を回避するために、点火時期を遅れ側（つまり、圧縮行程の上死点側）にシフトさせる必要がある。しかしながら、圧縮行程の上死点側に点火時期がシフトするために、筒内圧力（つまり、燃焼室内のガス圧）が上昇した状態で点火する必要があり、その結果、点火に必要な電圧が高くなってしまう。このため、何らかの要因によって点火に必要な電圧を維持することができない状態となってしまった場合には、点火を行うことができないという技術的な問題が発生しかねない。そこで、過給を行う全運転領域において、上述した特許文献１から３に開示されているようにＥＧＲガスを還流させることで、点火時期を進角側へ変化させる手法が提案されている。
【０００６】
【特許文献１】特開２００１−０７３８８４号公報
【特許文献２】特開２００５−３４４６７６号公報
【特許文献３】特開２００７−０６４０４２号公報
【発明の開示】
【発明が解決しようとする課題】
【０００７】
しかしながら、上述したツインスクロール型の過給機（例えば特許文献２等を参照）において高過給を行う場合、排気系の熱負荷が上昇する。このため、機関始動直後の冷間時に排気中の有害ガスを浄化する触媒（所謂、Start Catalyst）における熱負荷の上昇の影響を低減させるために、この触媒を迂回させる必要が生じてしまう。或いは、残留ガスを低減するために、マフラーの圧力損失を低減させる手段が必要となってしまう。このため、排気干渉を抑制するために過給機のタービン部の下流側からＥＧＲガスを吸気系へ還流させる従来の手法では、過給機のタービン部の下流側の排圧より吸気系における過給圧のほうが高くなり、ＥＧＲガスを還流することが困難となってしまうという技術的な問題が生じる。
【０００８】
そこで、本発明は、例えば上記の問題点に鑑みなされたものであり、例えばツインスクロール型の過給機において、より適切に高過給を実現することが可能な内燃機関の排気還流装置を提供することを課題とする。
【課題を解決するための手段】
【０００９】
上記課題を解決するために、本発明に係る内燃機関の排気還流装置は、複数の気筒を有する内燃機関の排気系にタービンを有すると共に前記内燃機関の吸気系にて過給を行う過給機と、前記複数の気筒のうち第１気筒群からの第１排気が合流する第１合流部を含むと共に、前記第１合流部を経由して前記第１排気を前記過給機へ導く第１排気通路と、前記複数の気筒のうち第２気筒群からの第２排気が合流する第２合流部を含むと共に、前記第２合流部を経由して前記第２排気を前記過給機へ導く第２排気通路と、前記第１排気を前記第１排気通路から前記タービンに連続的に導く第１スクロール部と、前記第２排気を前記第２排気通路から前記タービンに連続的に導く第２スクロール部と、前記第１スクロール部へ導かれた前記第１排気を、前記タービンを迂回して前記タービンより下流側に導入可能であることに加えて、前記第１スクロール部へ導かれた前記第１排気の一部をＥＧＲガスとして前記吸気系に再循環させるＥＧＲ通路と前記タービンの上流側で連通している第１迂回通路と、前記第２スクロール部へ導かれた前記第２排気を、前記タービンを迂回して前記タービンより下流側に導入可能である第２迂回通路とを備える。
【００１０】
本発明に係る「内燃機関」とは、一又は複数の気筒を有し、当該気筒の各々における燃焼室において、例えばガソリン、軽油或いは各種アルコール等の燃料と吸入空気との混合体である混合気が燃焼した際に発生する力を、例えばピストン、コネクティングロッド及びクランクシャフト等の機械的な伝達経路を経る等して、動力として取り出すことが可能に構成された機関を包括する概念であり、例えば２サイクル或いは４サイクルレシプロエンジン等を指す。
【００１１】
本発明に係る内燃機関の排気還流装置によれば、第１排気通路は、複数の気筒のうち第１気筒群からの第１排気が合流する第１合流部を含む。加えて、第１排気通路によって、第１合流部を経由して第１排気が過給機へ導かれる。第２排気通路は、複数の気筒のうち第２気筒群からの第２排気が合流する第２合流部を含む。加えて、第２排気通路によって、第２合流部を経由して第２排気が過給機へ導かれる。これにより、上述した第１及び第２合流部を経由して、第１気筒群の第１排気及び第２気筒群の第２排気が過給機へ夫々導かれるので、第１気筒群の第１排気と、第２気筒群の第２排気とが互いにぶつかり合い排気の流速を低減させる排気干渉の発生を効果的に抑制することができる。この結果、排気干渉に起因する排圧の上昇を抑制し、第１排気及び第２排気を適切且つ迅速に排出可能であるので、複数の気筒へ吸気を適切且つ迅速に吸引させ、気筒内での燃焼不良を効果的に抑制可能であり、ひいては燃費の悪化を効果的に抑制可能である。仮に、複数の気筒からの排気が１つの合流部に合流する場合、複数の気筒から夫々排出される排気が互いにぶつかり合い排気の流速を低減させる排気干渉が発生する度合いが大きくなり、排圧が上昇してしまい、複数の気筒からの排気がスムーズに排出されなくなるという技術的な問題点が生じる。
【００１２】
第１スクロール部によって、第１排気が第１排気通路からタービンに連続的に導かれる。第２スクロール部によって、第２排気が第２排気通路からタービンに連続的に導かれる。
【００１３】
第１迂回通路は、第１スクロール部へ導かれた第１排気を、タービンを迂回してタービンより下流側に導入可能である。第２迂回通路は、第２スクロール部へ導かれた第２排気を、タービンを迂回してタービンより下流側に導入可能である。これにより、タービンに導かれる第１排気及び第２排気の流量と、タービンを迂回する第１排気及び第２排気の流量とを変化させることができ、吸気系の過給の圧力と排圧との割合を適切な値に設定可能である。これにより、気筒内での圧縮比を適切な値に設定することができ、ノッキングなどの気筒内での燃焼不良を効果的に抑制可能であり、ひいては燃費の悪化を効果的に抑制可能である。
【００１４】
特に、第１迂回通路は、第１スクロール部へ導かれた第１排気の一部をＥＧＲガスとして吸気系に再循環させるＥＧＲ通路とタービンの上流側で連通している。ここに、本発明に係る「ＥＧＲ通路」とは、例えば排気ポート、排気マニホールド及び排気管等を適宜に含み得る概念としての排気系から分岐し、吸気系へ排気の一部を還流させる通路を意味する。定性的に言えば、当該ＥＧＲガスが、吸気系に供給される吸気と幾らかなり混合されることによって、例えばＮＯｘ等（内燃機関の形態によっては、ＰＭ（Particulate Matter：粒子状物質）等を含む）、各種対象物質の発生が幾らかなり抑制される。典型的には、このＥＧＲ通路には、排気の膨張を低減させるために、この還流される排気を冷却する冷却システムが設けられていることが好ましい。
【００１５】
これにより、第１迂回通路がＥＧＲ通路とタービンの下流側で連通している場合と比較して、吸気系の過給の圧力より高圧な状態でＥＧＲガスを吸気系に再循環させ、供給させることができるので、ＥＧＲガスをより適切な圧力で供給可能である。
【００１６】
以上の結果、（i）排気干渉の発生の効果的な抑制、（ii）吸気系の過給の圧力と排圧との割合の適切な調整、及び（iii）ＥＧＲガスの供給圧の適切な調整の３者の両立をより適切に実現することができる。更にこの結果、より効果的に冷却されたＥＧＲガスによって、吸気の温度が低下させることが可能であり、この温度が低下した吸気により、気筒内に吸入される吸気量が増加するため、エンジンの出力を向上させることができる。
【００１７】
本発明に係る内燃機関の排気還流装置の一の態様では、前記第１気筒群に含まれる一の気筒（例えば気筒＃１）と前記第１合流部との間の流路の長さは、前記第２気筒群に含まれる他の気筒（例えば気筒＃２）と前記第２合流部との間の流路の長さより大きい。
【００１８】
この態様によれば、第１気筒群からの第１排気が合流するまでの時間を、第２気筒群からの第２排気が合流するまで時間より大きくさせることができる。従って、第１排気が気筒の燃焼室以外の排気系で燃焼すること（所謂、後燃え）を、第２排気よりも多量に行わせ、第１排気が合流することによって排気中に含まれる酸素が増大することを効果的に抑制することができる。これにより、第１排気通路、第１スクロール部及び第１迂回通路を経由してＥＧＲ通路へ導かれる第１排気の温度を、第２排気通路、第２スクロール部及び第２迂回通路へ導かれる第２排気の温度よりも低くさせることができる。
【００１９】
この結果、ＥＧＲ通路に設けられる冷却システムに掛かる熱負荷を効果的に軽減することができる。以上の結果、より効果的に冷却されたＥＧＲガスによって、吸気の温度が低下させることが可能であり、この温度が低下した吸気により、気筒内に吸入される吸気量が増加するため、エンジンの出力を向上させることができる。
【００２０】
仮に、第１気筒群に含まれる一の気筒と第１合流部との間の流路の長さを、第２気筒群に含まれる他の気筒と第２合流部との間の流路の長さより小さくさせた場合、第１気筒群からの第１排気が合流するまでの時間は、第２気筒群からの第２排気が合流するまで時間より短時間になってしまう。このため、第１排気の後燃えは、第２排気の後燃えよりも少量しか行われないため、第１排気が合流することによって排気中に含まれる酸素が増大してしまい、第１排気の合流後の後燃えの燃焼反応が活発化してしまう。このため、第１排気通路、第１スクロール部及び第１迂回通路を経由してＥＧＲ通路へ導かれる第１排気の温度が、第２排気通路、第２スクロール部及び第２迂回通路へ導かれる第２排気の温度よりも高くなってしまい、ＥＧＲ通路の冷却システムに掛かる熱負荷が増大してしまう。
【００２１】
本発明に係る内燃機関の排気還流装置の他の態様では、前記第１迂回通路の流路断面積は、前記第２迂回通路の流路断面積より小さい。
【００２２】
この態様によれば、ＥＧＲ通路に連通していることで排圧が、第２迂回通路よりも減少傾向にある第１迂回通路において、第１迂回通路の排圧を流路断面積に応じて増加させることができる。これにより、第１迂回通路の排圧と、第２迂回通路の排圧との差を効果的に低減することができる。これにより、第１迂回通路に第１排気を排出する第１気筒群の気筒内の圧力と、第２迂回通路に第２排気を排出する第２気筒群の気筒内の圧力との差を効果的に低減させることができる。これにより、第１気筒群の気筒内の残留ガス量と、第２気筒群の気筒内の残留ガス量との差を効果的に低減させることができ、ひいては、第１気筒群の気筒内の燃焼状態と、第２気筒群の気筒内の燃焼状態との差を効果的に低減させることができる。
【００２３】
本発明に係る内燃機関の排気還流装置の他の態様では、前記第１迂回通路の流路断面積と前記第２迂回通路の流路断面積とは、前記内燃機関の負荷が最大である運転状態の下で、前記第１スクロール部を流れる排気流量と前記第２スクロール部を流れる排気流量とが等しくなるように設定されている。
【００２４】
この態様によれば、一般的に、第１排気通路、第１スクロール部及び第１迂回通路へ第１排気を供給する第１気筒群の気筒内の残留ガス量と、第２排気通路、第２スクロール部及び第２迂回通路へ第２排気を供給する第２気筒群の気筒内の残留ガス量との差は、内燃機関の負荷（典型的には、吸入空気量）が大きくなるに従って大きくなる。従って、この態様によれば、第１気筒群の気筒内の残留ガス量と、第２気筒群の気筒内の残留ガス量との差を内燃機関の負荷の広範囲において、第１気筒群の気筒内の残留ガス量と、第２気筒群の気筒内の残留ガス量との差をより効果的に低減させることができ、ひいては、第１気筒群の気筒内の燃焼状態と、第２気筒群の気筒内の燃焼状態との差をより効果的に低減させることができる。
【００２５】
本発明に係る内燃機関の排気還流装置の他の態様では、前記第１迂回通路及び前記第２迂回通路は、弁体によって遮断可能であり、前記第１迂回通路における前記弁体の第１開口面積は、前記第２迂回通路における前記弁体の第２開口面積より小さい。
【００２６】
この態様によれば、ＥＧＲ通路に連通していることで排圧が、第２迂回通路よりも減少傾向にある第１迂回通路において、第１迂回通路の排圧を第１開口面積に応じて増加させることができる。これにより、第１迂回通路の排圧と、第２迂回通路の排圧との差を効果的に低減することができる。これにより、第１迂回通路に第１排気を排出する第１気筒群の気筒内の圧力と、第２迂回通路に第２排気を排出する第２気筒群の気筒内の圧力との差を効果的に低減させることができる。これにより、第１気筒群の気筒内の残留ガス量と、第２気筒群の気筒内の残留ガス量との差を効果的に低減させることができ、ひいては、第１気筒群の気筒内の燃焼状態と、第２気筒群の気筒内の燃焼状態との差を効果的に低減させることができる。
【００２７】
本発明に係る内燃機関の排気還流装置の他の態様では、前記第１開口面積と前記第２開口面積とは、前記内燃機関の負荷が最大である運転状態の下で、前記第１スクロール部を流れる排気流量と前記第２スクロール部を流れる排気流量とが等しくなるように設定されている。
【００２８】
この態様によれば、上述したように、一般的に、第１排気通路、第１スクロール部及び第１迂回通路へ第１排気を供給する第１気筒群の気筒内の残留ガス量と、第２排気通路、第２スクロール部及び第２迂回通路へ第２排気を供給する第２気筒群の気筒内の残留ガス量との差は、内燃機関の負荷（典型的には、吸入空気量）が大きくなるに従って大きくなる。従って、この態様によれば、第１気筒群の気筒内の残留ガス量と、第２気筒群の気筒内の残留ガス量との差を内燃機関の負荷の広範囲において、第１気筒群の気筒内の残留ガス量と、第２気筒群の気筒内の残留ガス量との差をより効果的に低減させることができ、ひいては、第１気筒群の気筒内の燃焼状態と、第２気筒群の気筒内の燃焼状態との差をより効果的に低減させることができる。
【００２９】
本発明に係る内燃機関の排気還流装置の他の態様では、前記第１迂回通路は、前記タービンを迂回して前記タービンより下流側に導かれる前記第１排気の流量を変化可能な第１弁を有し、前記第２迂回通路は、前記タービンを迂回して前記タービンより下流側に導かれる前記第２排気の流量を変化可能な第２弁を有する。
【００３０】
この態様によれば、第１弁及び第２弁によって、タービンに導かれる第１排気及び第２排気の流量と、タービンを迂回する第１排気及び第２排気の流量とを変化させることができ、吸気系の過給の圧力と排圧との割合を適切な値に設定可能である。これにより、気筒内での圧縮比を適切な値に設定することができ、ノッキングなどの気筒内での燃焼不良を効果的に抑制可能であり、ひいては燃費の悪化を効果的に抑制可能である。
【００３１】
本発明に係る内燃機関の排気還流装置の他の態様では、前記第１気筒群に含まれる一の気筒の排気行程の実施時期と、前記第１気筒群に含まれる他の気筒の排気行程の実施時期との間の時間間隔は、前記一の気筒の排気行程の実施時期と、前記第２気筒群に含まれる他の気筒の排気行程の実施時期との間の時間間隔より長い。
【００３２】
この態様によれば、第１気筒群に含まれる一の気筒の排気行程において排出される一の第１排気と、第１気筒群に含まれる他の気筒の排気行程において排出される他の第１排気とが互いにぶつかり合い排気の流速を低減させる排気干渉の発生を、より効果的に抑制することができる。この結果、排気干渉に起因する排圧の上昇を抑制し、第１排気を適切且つ迅速に排出可能であるので、複数の気筒へ吸気を適切且つ迅速に吸引させ、気筒内での燃焼不良を効果的に抑制可能であり、ひいては燃費の悪化を効果的に抑制可能である。
【００３３】
本発明に係る内燃機関の排気還流装置の他の態様では、前記第２気筒群に含まれる一の気筒の排気行程の実施時期と、前記第２気筒群に含まれる他の気筒の排気行程の実施時期との間の時間間隔は、前記一の気筒の排気行程の実施時期と、前記第１気筒群に含まれる他の気筒の排気行程の実施時期との間の時間間隔より長い。
【００３４】
この態様によれば、第２気筒群に含まれる一の気筒の排気行程において排出される一の第２排気と、第２気筒群に含まれる他の気筒の排気行程において排出される他の第２排気とが互いにぶつかり合い排気の流速を低減させる排気干渉の発生を、より効果的に抑制することができる。この結果、排気干渉に起因する排圧の上昇を抑制し、第２排気を適切且つ迅速に排出可能であるので、複数の気筒へ吸気を適切且つ迅速に吸引させ、気筒内での燃焼不良を効果的に抑制可能であり、ひいては燃費の悪化を効果的に抑制可能である。
【００３５】
本発明の作用及び他の利得は次に説明する実施するための最良の形態から明らかにされる。
【発明を実施するための最良の形態】
【００３６】
以下、図面を参照して、本発明の好適な各種実施形態について説明する。
【００３７】
（第１実施形態）
（基本構成）
先ず、図１を参照して、本発明の第１実施形態に係るエンジンシステム１０の構成について説明する。ここに、図１は、本実施形態に係るエンジンシステム１０の構成を概念的に表してなる概略構成図である。
【００３８】
図１において、エンジンシステム１０は、図示せぬ車両に搭載され、ＥＣＵ（Electronic Control Unit：電子制御ユニット）１、エンジン２００及びＥＧＲ装置３００を備える。
【００３９】
エンジン２００は、ガソリンを燃料とする、本発明に係る「内燃機関」の一例たる直列４気筒ガソリンエンジンである。エンジン２００の概略について説明すると、エンジン２００は、シリンダブロック２０１に４本のシリンダ＃１〜＃４が並列配置された構成を有している。そして、各気筒内において燃料を含む混合気が点火によって着火した際に生じる熱エネルギが、不図示のピストンの往復運動を生じさせ、更にコネクティングロッドを介してピストンに連結されるクランクシャフト（いずれも不図示）の回転運動に変換される構成となっている。以下に、エンジン２００の要部構成を、その動作の一部と共に説明する。
【００４０】
尚、本実施形態に係るエンジン２００は、シリンダ＃１〜＃４が図１において紙面と垂直な方向に４本並列してなる直列４気筒ガソリンエンジンであるが、個々のシリンダ＃１〜＃４の構成は相互に等しいため、ここでは一のシリンダ＃１についてのみ説明することとする。
【００４１】
シリンダ＃１内における混合気の燃焼に際し、外部から吸入された空気は、各シリンダについて共通に設置された吸気マニホールド２０３に導かれた後、各シリンダについて独立に設けられた吸気ポート（不図示）に導かれ、吸気ポートとシリンダ内部とを連通可能に構成された不図示の吸気バルブの開弁時にシリンダ＃１内に吸入される。シリンダ＃１内には、筒内直噴型のインジェクタ（不図示）から燃料たるガソリンが噴射される構成となっており、噴射された燃料が各シリンダ内部で、吸入された空気（以下、「吸気」と略称する）と混合され、上述した混合気となる。
【００４２】
エンジン２００において、燃料は、不図示の燃料タンクに貯留されている。この燃料タンクに貯留される燃料は、不図示のフィードポンプの作用により燃料タンクから汲み出され、不図示の低圧配管を介して高圧ポンプ（不図示）に圧送される構成となっている。高圧ポンプは、コモンレール（不図示）に対し、燃料を供給することが可能に構成されている。尚、高圧ポンプやコモンレールは、公知の各種態様を採り得、ここでは、その詳細については省略することとする。
【００４３】
ここで、インジェクタの構成について補足すると、インジェクタは、ＥＣＵ（Electronic Control Unit）１から供給される指令に基づいて作動する電磁弁と、この電磁弁への通電時に燃料を噴射するノズル（いずれも不図示）とを備える。このＥＣＵは、ＣＰＵ（Central Processing Unit）、ＲＯＭ（Read Only Memory）及びＲＡＭ（Random Access Memory）等を備え、エンジン２００の動作全体を制御することが可能に構成された電子制御ユニットである。ＥＣＵは、ＲＯＭに格納される制御プログラムに従って、各種の制御を実行することが可能に構成されている。当該電磁弁は、コモンレールの高圧燃料が印加される圧力室と、当該圧力室に接続された低圧側の低圧通路との間の連通状態を制御することが可能に構成されており、通電時に当該加圧室と低圧通路とを連通させると共に、通電停止時に当該加圧室と低圧通路とを相互に遮断する。一方、ノズルは、噴孔を開閉するニードルを内蔵し、圧力室の燃料圧力がニードルを閉弁方向（噴孔を閉じる方向）に付勢している。従って、電磁弁への通電により加圧室と低圧通路とが連通し、圧力室の燃料圧力が低下すると、ニードルがノズル内を上昇して開弁する（噴孔を開く）ことにより、コモンレールより供給された高圧燃料を噴孔より噴射することが可能に構成される。また、電磁弁への通電停止により加圧室と低圧通路とが相互に遮断されて圧力室の燃料圧力が上昇すると、ニードルがノズル内を下降して閉弁することにより、噴射が終了する構成となっている。尚、燃料は、個々のシリンダ＃１〜＃４において、インジェクタを介し、目標噴射量に相当する燃料が噴射される構成となっている。
【００４４】
特に、排気マニフォールド２０９に着目すると、エンジン２００のシリンダ＃１とシリンダ＃４とが合流部２０９ａにおいて連通している。加えて、排気マニフォールド２１０に着目すると、エンジン２００のシリンダ＃２とシリンダ＃３とが合流部２１０ａにおいて連通している。尚、各シリンダの点火順番は、シリンダ＃１、シリンダ＃３、シリンダ＃４、シリンダ＃２の順番である。
【００４５】
一般的に、シリンダ＃１の排気バルブから合流部２０９ａまでの排気マニフォールド２０９上の流路の距離と、シリンダ＃４の排気バルブから合流部２０９ａまでの排気マニフォールド２０９上の流路の距離と、シリンダ＃２の排気バルブから合流部２１０ａまでの排気マニフォールド２１０上の流路の距離と、シリンダ＃３の排気バルブから合流部２１０ａまでの排気マニフォールド２１０上の流路の距離とは、車両へ搭載する際の空間的な制約や経済的なコスト等に影響され、流路の長さは異なる。尚、図１での排気マニフォールド２０９の形状と排気マニフォールド２１０の形状とは一例であり、各種の形態をとることができる。
【００４６】
上述のシリンダ＃１及び＃４に吸気された混合気は、圧縮行程において点火によって着火して燃焼し、燃焼済みガスとして、或いは一部未燃の混合気として、吸気バルブの開閉に連動して開閉する排気バルブ（不図示）の開弁時に排気ポート（不図示）を介して排気マニホールド２０９に導かれる構成となっている。概ね同様にして、上述のシリンダ＃２及び＃３に吸気された混合気は、圧縮行程において点火によって着火して燃焼し、燃焼済みガスとして、或いは一部未燃の混合気として、吸気バルブの開閉に連動して開閉する排気バルブの開弁時に排気ポートを介して排気マニホールド２１０に導かれる構成となっている。尚、本実施形態に係る排気マニホールド２０９によって、本発明に係る「第１排気通路」の一具体例が構成されている。また、本実施形態に係る排気マニホールド２１０によって、本発明に係る「第２排気通路」の一具体例が構成されている。
【００４７】
この排気マニホールド２０９は、後述される迂回通路１３１及び弁１４１を経由して排気管２１１に連通しており、シリンダ＃１及び＃４から排出された排気の一部は、この排気管２１１に導かれる構成となっている。概ね同様にして、この排気マニホールド２１０は、後述される迂回通路１３２及び弁１４２を経由して排気管２１１に連通しており、シリンダ＃２及び＃３から排出された排気の一部は、この排気管２１１に導かれる構成となっている。
【００４８】
排気管２１１には、触媒（所謂、Start Catalyst）２１７、この触媒２１７を迂回するバイパス通路、及びこのバイパス通路の流量を変化可能な弁２１８が設けられている。この触媒２１７は、後述のタービン１７０の下流側に設けられ、機関始動直後の冷間時に排気中の有害ガスを迅速に清浄化する。また、この排気管２１１には、後述されるタービン１７０の下流側にマフラーが設けられてよい。更にまた、このマフラーを排気が流れる際の圧力損失を低下する装置が設けられてよい。
【００４９】
一方、排気管２１１には、タービンハウジング１００に収容される形でタービン１７０が設置されている。タービン１７０は、排気管２１１に導かれた排気の圧力により所定の回転軸を中心として回転可能に構成されている。このタービン１７０の回転軸は、コンプレッサハウジング２１６に収容される形で吸気管２１４に設置されたコンプレッサ２１５と共有されており、タービン１７０が排気の圧力により回転すると、コンプレッサ２１５も当該回転軸を中心として回転する構成となっている。尚、タービンハイジング１００及びタービンハイジング１００内の構成要素、並びに、コンプレッサハウジング２１６及びコンプレッサハウジング２１６内の構成要素によって、本発明に係る「過給機」の一具体例が構成されている。
【００５０】
コンプレッサ２１５は、図示せぬエアクリーナを介して外界から吸気管２１４に導かれた吸気を、その回転に伴う圧力により上述した吸気マニホールド２０３へ圧送することが可能に構成されており、このコンプレッサ２１５による吸気の圧送効果により、所謂、過給が実現される構成となっている。尚、吸気マニホールド２０３にはサージタンクが設けられてよい。即ち、タービン１７０とコンプレッサ２１５とにより、一種のターボチャージャが構成されている。また、コンプレッサ２１５と吸気マニホールド２０３との間には、インタークーラ２１７が設置されており、過給された吸気を冷却することが可能に構成される。このインタークーラ２１７の冷却効果によって、過給効率が向上せしめられている。
【００５１】
吸気管２１４には、吸気の量を調節可能なスロットルバルブ２１８が配設されている。このスロットルバルブ２１８は、上述したＥＣＵと電気的に接続され且つ上述したＥＣＵにより上位に制御されるスロットルバルブモータ２１９から供給される駆動力により回転可能に構成された回転弁であり、スロットルバルブ２１８を境にした吸気管２１４の上流部分と下流部分とをほぼ遮断する全閉位置から、ほぼ全面的に連通させる全開位置まで、その回転位置が連続的に制御される構成となっている。尚、エンジン２００は、空燃比制御（吸入空気量制御）を介してコントロールされる。
【００５２】
尚、シリンダ＃１〜＃４を収容するシリンダブロック２０１における、シリンダ＃１〜＃４の外周部位には、ＬＬＣ等の冷却水を循環供給するためのウォータジャケットが設けられており、シリンダ＃１〜＃４を含むエンジン２００全体を冷却可能に構成されている。
【００５３】
尚、本実施形態において、エンジン２００はガソリンエンジンとして構成されるが、本発明に係る内燃機関は、ディーゼル或いはアルコールを燃料とするエンジンにも同様に適用可能である。更には、気筒配列も多種多様であってよい。
【００５４】
次に、ＥＧＲ装置３００について説明する。ＥＧＲ装置３００は、ＥＧＲ通路３１０、ＥＧＲクーラ３２０及びＥＧＲバルブ３６０を備え、排気の一部を吸気管２１４に循環させることが可能に構成されている。
【００５５】
ＥＧＲ通路３１０は、その一端部が、後述されるＥＧＲ通路口１５１、迂回通路１３１及びスクロール部１２１を経由して排気マニホールド２０９に連通され、その内部が排気マニホールド２０９に連通する中空且つ金属製の配管であり、本発明に係る「ＥＧＲ通路」の一例である。ＥＧＲ通路３１０の他端部は、吸気マニホールド２０３との接続部位近傍において吸気管２１４に接続され、その内部で吸気管２１４と連通する構成となっている。尚、吸気マニホールド２０３又は上述した吸気管２１４は、本発明に係る「吸気系」の一例である。
【００５６】
ＥＧＲクーラ３２０は、ＥＧＲ通路３１０に設けられた冷却システム又は冷却装置である。ＥＧＲクーラ３２０は、外周部にエンジン２００の冷却水配管が張り巡らされた構成を有し、ＥＧＲ通路３１０に導かれＥＧＲクーラ３２０を通過する排気（即ち、本実施形態に係る「ＥＧＲガス」の一例であり、以下、「ＥＧＲガス」と称する）は、この冷却水との熱交換により冷却され、下流側（即ち、吸気管２１４側）へ導かれる構成となっている。詳細には、ＥＧＲクーラ３２０には、夫々が上述したウォータジャケットに連通するインレットパイプ及びアウトレットパイプが接続されており、冷却水は、インレットパイプ３２１から当該冷却水配管に流入し、アウトレットパイプを介して当該冷却水配管の外に排出される。排出された冷却水は、エンジン２００の冷却水循環系に還流され、所定の経路を経て再びインレットパイプから供給される。
【００５７】
ＥＧＲバルブ３６０は、ＥＧＲ通路３１０に設置され、開度制御によりＥＧＲガスの量を可変に制御することが可能に構成された電磁開閉弁である。ＥＧＲバルブ３６０は、上述したＥＣＵ１と電気的に接続されており、その開度はＥＣＵにより上位に制御される構成となっている。
【００５８】
尚、ＥＧＲガスの導入可否を含めたＥＧＲガス量自体は、ＥＧＲバルブ３６０の開度制御により可変に制御されるものであり、ＥＧＲバルブ３６０を如何なる開度に制御するかについては、上述したＥＣＵにより、例えば予め実験的に、経験的に、理論的に、又はシミュレーション等に基づいて、定常状態において、ドライバビリティに影響する動力性能を始め、エミッションとは異なる各種の要求性能を実践上問題が生じる程低下させることのない範囲で、ＮＯｘ及びＰＭの発生を可及的に高効率に抑制し得るように適合されている。
【００５９】
（詳細構成）
次に、図２を参照してタービンハウジング１００の内部の詳細構成について説明する。ここに、図２は、本実施形態に係るタービンハウジングの構成を概念的に表してなる概略断面図である。
【００６０】
図２に示されるように、タービンハウジング１００の内部には、排気通路口１１１及び１１２、スクロール室１２１及び１２２、迂回通路１３１及び１３２、弁（所謂、ウェイストゲートバルブ）１４１及び１４２、ＥＧＲ通路口１５１並びにタービン１７０を備えて構成されている。
【００６１】
排気通路口１１１には、シリンダ＃１及び＃４に連通した排気マニフォールド２０９から排気が導かれる。排気通路口１１２には、シリンダ＃２及び＃３に連通した排気マニフォールド２１０から排気が導かれる。
【００６２】
スクロール室１２１は、排気通路口１１１から導かれた排気を連続的にタービン１７０へ供給する。と同時に又は相前後して、スクロール室１２２は、排気通路口１１２から導かれた排気を連続的にタービン１７０へ供給する。尚、本実施形態に係るスクロール室１２１によって、本発明に係る「第１スクロール部」の一具体例が構成されている。また、本実施形態に係るスクロール室１２２によって、本発明に係る「第２スクロール部」の一具体例が構成されている。詳細には、スクロール室１２１及び１２２によって、所謂、ツインスクロールが構成されている。
【００６３】
特に、迂回通路１３１は、スクロール室１２１へ導かれた排気を、タービン１７０を迂回してタービン１７０より下流側の排気管２１１に導入することができる。この迂回通路１３１を流れる排気の流量は、弁１４１の開度によって変化させることができる。概ね同様にして、迂回通路１３２は、スクロール室１２２へ導かれた排気を、タービン１７０を迂回してタービン１７０より下流側の排気管２１１に導入することができる。この迂回通路１３２を流れる排気の流量は、弁１４２の開度によって変化させることができる。尚、弁１４１及び弁１４２の開閉動作は、共通の部材を介して同時に実行されてよいし、或いは、個別に実行されてよい。
【００６４】
これにより、弁１４１及び弁１４２によって、タービン１７０に導かれるシリンダ＃１乃至＃４からの排気の流量と、タービンを迂回するシリンダ＃１乃至＃４からの排気の流量とを変化させることができ、吸気系の過給の圧力と排圧との割合を適切な値に設定可能である。これにより、気筒内での圧縮比を適切な値に設定することができ、ノッキングなどの気筒内での燃焼不良を効果的に抑制可能であり、ひいては燃費の悪化を効果的に抑制可能である
特に、迂回通路１３１は、スクロール室１２１へ導かれた排気の一部をＥＧＲガスとして吸気系に再循環させるＥＧＲ通路３１０と、タービン１７０の上流側に位置するＥＧＲ通路口１５１を経由して連通している。ここに、本実施形態に係る「ＥＧＲ通路」とは、例えば排気ポート、排気マニホールド及び排気管等を適宜に含み得る概念としての排気系から分岐し、吸気系へ排気の一部を還流させる通路を意味する。典型的には、このＥＧＲ通路は、例えば吸気ポート、吸気マニホールド及び吸気管等を適宜に含み得る概念としての吸気系に、直接若しくは間接的に、又はＥＧＲバルブ等、ＥＧＲガスの流量を制御可能な弁装置等の状態に応じて限定的に連通する構成となっており、ＥＧＲ通路に導かれる、上記の排気系に排出される排気の一部が、不活性のＣＯ２を比較的大量に含むＥＧＲガスとして吸気系に還流される構成となってよい。定性的に言えば、当該ＥＧＲガスが、吸気系に供給される吸気と幾らかなり混合されることによって、例えばＮＯｘ等（内燃機関の形態によっては、ＰＭ（Particulate Matter：粒子状物質）等を含む）、各種対象物質の発生が幾らかなり抑制される。これにより、迂回通路１３１がＥＧＲ通路３１０とタービン１７０の下流側で連通している場合と比較して、吸気系の過給の圧力より高圧な状態でＥＧＲガスを吸気系に再循環させ、供給させることができるので、ＥＧＲガスをより適切な圧力で供給可能である。尚、本実施形態に係る迂回通路１３１によって、本発明に係る「第１迂回通路」の一具体例が構成されている。また、本実施形態に係る迂回通路１３２によって、本発明に係る「第２迂回通路」の一具体例が構成されている。
【００６５】
具体的には、迂回通路１３１の流路断面積は、迂回通路１３２の流路断面積より小さいことが好ましい。尚、迂回通路１３１の流路断面積は、迂回通路１３２の流路断面積より小さくさせることに加えて又は代えて、迂回通路１３１の弁１４１の開口面積を、迂回通路１３２の弁１４２の開口面積より小さくさせてよい。これにより、ＥＧＲ通路３１０に連通していることで排圧が、迂回通路１３２よりも減少傾向にある迂回通路１３１において、迂回通路１３１の排圧を流路断面積に応じて増加させることができる。これにより、迂回通路１３１の排圧と、迂回通路１３２の排圧との差を効果的に低減することができる。これにより、迂回通路１３１に排気を排出するシリンダ＃１及び＃４の内部の圧力と、迂回通路１３２に排気を排出するシリンダ＃２及び＃３の内部の圧力との差を効果的に低減させることができる。これにより、シリンダ＃１及び＃４内の残留ガス量と、シリンダ＃２及び＃３内の残留ガス量との差を効果的に低減させることができ、ひいては、シリンダ＃１及び＃４内の燃焼状態と、シリンダ＃２及び＃３内の燃焼状態との差を効果的に低減させることができる。仮に、迂回通路１３１の流路断面積と、迂回通路１３２の流路断面積とが等しい場合、或いは、迂回通路１３１の流路断面積が、迂回通路１３２の流路断面積より大きい場合、迂回通路１３１は、ＥＧＲ通路と連通しているため排気の圧力は低下してしまい、シリンダ＃１及び＃４内の圧力に影響を与える排圧と、シリンダ＃２及び＃３内の圧力に影響を与える排圧との間に差が生じてしまい、エンジンの異常振動などの不具合が発生する可能性が生じる。
【００６６】
一般的に、排気マニフォールド２０９、スクロール室１２１及び迂回通路１３１へ排気を排出するシリンダ＃１及び＃４内の残留ガス量と、排気マニフォールド２１０、スクロール室１２２及び迂回通路１３２へ排気を排出するシリンダ＃２及び＃３内の残留ガス量との差は、内燃機関の負荷（典型的には、吸入空気量）が大きくなるに従って大きくなる。従って、上述した迂回通路１３１の流路断面積は、迂回通路１３２の流路断面積より小さいことに加えて又は代えて、迂回通路１３１の流路断面積と迂回通路１３２の流路断面積とは、内燃機関の負荷が最大である運転状態の下で、スクロール室１２１を流れる排気流量とスクロール室１２２を流れる排気流量とが等しくなるように設定されることが好ましい。より具体的には、ＥＧＲガスを再循環又は還流させた状態で、最大の空気量となるエンジンの運転状態の下で、スクロール室１２１を流れる排気流量とスクロール室１２２を流れる排気流量とが等しくなるように設定されることが好ましい。これにより、シリンダ＃１及び＃４内の残留ガス量と、シリンダ＃２及び＃３内の残留ガス量との差を内燃機関の負荷の広範囲において、シリンダ＃１及び＃４内の残留ガス量と、シリンダ＃２及び＃３内の残留ガス量との差をより効果的に低減させることができ、ひいては、シリンダ＃１及び＃４内の燃焼状態と、シリンダ＃２及び＃３内の燃焼状態との差をより効果的に低減させることができる。これにより、シリンダ＃１から＃４における残留ガス量を効果的に等しくさせることができ、ひいては、シリンダ＃１から＃４における燃焼状態を効果的に等しくさせることができる。
【００６７】
以上の結果、本実施形態によれば、ツインスクロール型の過給機において、（i）吸気系の過給の圧力と排圧との割合の適切な調整、及び（ii）ＥＧＲガスの供給圧の適切な調整を実現し、低速の運転領域での高過給を実現可能である。
【００６８】
（本実施形態に係る作用及び効果の検討）
次に、図３及び図４に加えて、上述した図２を適宜参照して、本実施形態に係る作用及び効果について検討する。ここに、図３は、本実施形態に係る排気マニフォールドを、流路に着目して概念的に示した模式図（図３（ａ））及び比較例に係る排気マニフォールドを、流路の長さに着目して概念的に示した模式図（図３（ｂ））である。図４は、本実施形態に係るシリンダ＃１から＃４における各行程の時期を概念的に示したタイミングチャートである。尚、図４中の各行程は説明の便宜上、クランク角度の１８０度に対応し、このクランク角度とエンジン回転速度によって各行程の時間を一義的に定義することができる。
【００６９】
（ＥＧＲガスの冷却システムの熱負荷の低減）
先ず、ＥＧＲガスを冷却する冷却システムの熱負荷を低減させる原理について説明する。図３（ａ）及び上述した図２に示されるように、シリンダ＃１と、シリンダ＃１及び＃４から排出された排気が合流する合流部２０９ａとの間の流路の長さは、シリンダ＃２と、シリンダ＃２及び＃３から排出された排気が合流する合流部２１０ａとの間の流路の長さより大きいことに加えて、シリンダ＃３と、合流部２１０ａとの間の流路の長さより大きいことが好ましい。更に、シリンダ＃４と、合流部２０９ａとの間の流路の長さは、シリンダ＃２と、合流部２１０ａとの間の流路の長さより大きいことに加えて、シリンダ＃３と、合流部２１０ａとの間の流路の長さより大きいことが好ましい。これにより、シリンダ＃１及び＃４から排出された排気が合流するまでの時間を、シリンダ＃２及び＃３から排出された排気が合流するまで時間より大きくさせることができる。従って、シリンダ＃１及び＃４から排出された排気が気筒の燃焼室以外の排気系で燃焼すること（所謂、後燃え）を、シリンダ＃２及び＃３から排出された排気よりも多量に行わせ、シリンダ＃１及び＃４から排出された排気が合流することによって排気中に含まれる酸素が増大することを効果的に抑制することができる。これにより、排気マニフォールド２０９、スクロール室１２１、迂回通路１３１及びＥＧＲ通路口１５１を経由してＥＧＲ通路３１０へ導かれる排気の温度を、排気マニフォールド２１０、スクロール室１２２、迂回通路１３２へ導かれる排気の温度よりも低くさせることができる。この結果、ＥＧＲ通路３１０に設けられる冷却システムに掛かる熱負荷を効果的に軽減することができる。以上の結果、より効果的に冷却されたＥＧＲガスによって、吸気の温度が低下させることが可能であり、この低下した吸気により、気筒内に吸入される吸気量が増加するため、エンジンの出力を向上させることができる。
【００７０】
一般的に、各シリンダで燃焼した排気（又は排気ガス）は、排気バルブから排出された後も、排気中の残存酸素と未燃物によって、自ら燃焼している。即ち、仮に、シリンダ＃１及び＃４から排出された排気が合流するまでの流路の長さが、シリンダ＃２及び＃３から排出された排気が合流するまでの流路の長さより小さい場合、酸素や未燃物が多い状態で、排気が合流し、それらの酸素や未燃物が加算されるため、燃焼の反応が活発化し、排気の温度が上昇してしまう可能性が高いという技術的な問題点が生じる。
【００７１】
（排気干渉の発生の抑制（その１））
次に、排気干渉の発生を抑制する原理（その１）について説明する。図２及び図３（ａ）に示されるように、上述したシリンダ＃１及び＃４から排気マニフォールド２０９に排気が供給される一の排気系と、シリンダ＃２及び＃３から排気マニフォールド２１０に排気が供給される他の排気系とを物理的に分けることで、上述した合流部２０９ａを経由して、シリンダ＃１及び＃４から排出される排気と、上述した合流部２１０ａを経由して、シリンダ＃２及び＃３から排出される排気とを物理的に分けて過給機へ導かせることができる。これにより、シリンダ＃１及び＃４から排出される排気と、シリンダ＃２及び＃３から排出される排気とが互いにぶつかり合い排気の流速を低減させる排気干渉の発生を効果的に抑制することができる。この結果、排気干渉に起因する排圧の上昇を抑制し、シリンダ＃１及び＃４から排出される排気並びにシリンダ＃２及び＃３から排出される排気を適切且つ迅速に排出可能であるので、複数の気筒へ吸気を適切且つ迅速に吸引させ、気筒内での燃焼不良を効果的に抑制可能であり、ひいては燃費の悪化を効果的に抑制可能である。仮に、図３（ｂ）に示されるように、シリンダ＃１乃至＃４からの排気が１つの合流部に合流する場合、シリンダ＃１乃至＃４から夫々排出される排気が互いにぶつかり合い排気の流速を低減させる排気干渉が発生する度合いが大きくなり、排圧が上昇してしまい、複数の気筒からの排気がスムーズに排出されなくなるという技術的な問題点が生じる。
【００７２】
（排気干渉の発生の抑制（その２））
次に、排気干渉の発生を抑制する原理（その２）について説明する。図４に示されるように、シリンダ＃１の排気行程の実施時期（図４中の時間Ｔ４を参照）と、シリンダ＃４の排気行程の実施時期（図４中の時間Ｔ２を参照）との間の時間間隔は、シリンダ＃１の排気行程の実施時期と、シリンダ＃２又は＃３の排気行程の実施時期（図４中の時間Ｔ３、Ｔ５又はＴ１を参照）との間の時間間隔より長くなるように設定することが好ましい。典型的には、シリンダ＃１の排気行程の実施時期とシリンダ＃４の排気行程の実施時期とのクランク角度を３６０度だけずらすことが好ましい。これにより、シリンダ＃１の排気行程において排出される排気（図３及び図４中の時刻Ｔ４での排気を参照）と、シリンダ＃４の排気行程において排出される排気（図３及び図４中の時刻Ｔ２での排気を参照）とが互いにぶつかり合い排気の流速を低減させる排気干渉の発生を、より効果的に抑制することができる。この結果、排気干渉に起因する排圧の上昇を抑制し、シリンダ＃１及び＃４から排出される排気を適切且つ迅速に排出可能であるので、複数の気筒へ吸気を適切且つ迅速に吸引させ、気筒内での燃焼不良を効果的に抑制可能であり、ひいては燃費の悪化を効果的に抑制可能である。尚、概ね同様の理由によって、シリンダ＃２の排気行程の実施時期（図４中の時間Ｔ３を参照）と、シリンダ＃３の排気行程の実施時期（図４中の時間Ｔ５又はＴ１を参照）との間の時間間隔は、シリンダ＃２の排気行程の実施時期と、シリンダ＃１又は＃４の排気行程の実施時期（図４中の時間Ｔ４又はＴ２を参照）との間の時間間隔より長くなるように設定することが好ましい。
【００７３】
以上の結果、本実施形態によれば、ツインスクロール型の過給機において、上述した（i）吸気系の過給の圧力と排圧との割合の適切な調整、及び（ii）ＥＧＲガスの供給圧の適切な調整に加えて、（iii）ＥＧＲガスの冷却システムの熱負荷の効果的な低減、及び（iv）排気干渉の発生の効果的な抑制を実現し、低速の運転領域での高過給を実現可能である。
【００７４】
上述した実施形態では、４気筒エンジンについて説明したが、６気筒エンジン等の多気筒エンジンにも適用可能である。
【００７５】
本発明は、上述した実施形態に限られるものではなく、請求の範囲及び明細書全体から読み取れる発明の要旨或いは思想に反しない範囲で適宜変更可能であり、そのような変更を伴う内燃機関の排気還流装置もまた本発明の技術的範囲に含まれるものである。
【図面の簡単な説明】
【００７６】
【図１】本実施形態に係るエンジンシステム１０の構成を概念的に表してなる概略構成図である。
【図２】本実施形態に係るタービンハウジングの構成を概念的に表してなる概略断面図である。
【図３】本実施形態に係る排気マニフォールドを、流路に着目して概念的に示した模式図（図３（ａ））及び比較例に係る排気マニフォールドを、流路の長さに着目して概念的に示した模式図（図３（ｂ））である。
【図４】本実施形態に係るシリンダ＃１から＃４における各行程の時期を概念的に示したタイミングチャートである。
【符号の説明】
【００７７】
１…ＥＣＵ、１０…エンジンシステム、１００…タービンハウジング、１１１及び１１２…排気通路口、１２１及び１２２…スクロール室、１３１及び１３２…迂回通路、１４１及び１４２…弁（所謂、ウェイストゲートバルブ）、１５１…ＥＧＲ通路口、１７０…タービン、２００…エンジン、３００…ＥＧＲ装置、３１０…ＥＧＲ通路、３２０…ＥＧＲクーラ、３６０…ＥＧＲバルブ。
【図１】
2009287434.tif 000003
【図２】
2009287434.tif 000004
【図３】
2009287434.tif 000005
【図４】
2009287434.tif 000006